(57)【要約】【課題】スキャナとパソコンから構成される画像読取システムにおいて紙幣の偽造を抑制し、かつそのために大きなメモリ容量を必要としない。【解決手段】パソコンには予め該パソコンが使用される国において用いられる可能性の高い紙幣のサイズデータが選択的にインストールされる。パソコンは、読取りが開始された（Ｓ１でＹＥＳ）後、スキャナ付プリンタから原稿のサイズ情報を受信し（Ｓ２）、原稿のサイズがインストールされている紙幣サイズデータと一致しない場合（Ｓ３でＮＯ）には読取りを続行する（Ｓ４）。一致する場合（Ｓ３でＹＥＳ）には、パソコンは警告メッセージを表示パネルに表示（Ｓ５）した上で、了解ボタンが押されたか否かを判断する（Ｓ６）。了解ボタンが押されたと判断する場合には、読取りを続行すると共に、パソコン内にその旨のデータを記録する（Ｓ８）。キャンセルボタンが押されたと判断する場合には、読取りを中止する（Ｓ９）。【選択図】図２
2008079153.tif 000002
【特許請求の範囲】
【請求項１】
画像の読取機能を有する機器（以下、スキャナという）と、
前記スキャナに接続され、外部記録媒体からインストールしたソフトウェアを含む種々の制御用データ（以下、制御データという）に基づいて前記スキャナを制御するパーソナルコンピュータ（以下、パソコンという）と、から構成される画像読取システムにおいて、
前記制御データには、多数の国及び地域ごとの紙幣のサイズデータ（以下、元サイズデータという）が含まれ、
前記スキャナは、
原稿台にセットされた原稿の画像サイズを読取るサイズ読取手段と、
前記サイズ読取手段により読取られた画像サイズを前記パソコンに送信する送信手段と、を備え、
前記パソコンは、
前記外部記録媒体から前記制御データをインストールするときに、当該パソコンに設定されているタイムゾーン及び言語に基づいて当該パソコンが使用される国及び地域を推定し、推定した国及び地域において使用される紙幣のサイズデータを、前記元サイズデータの中から選択的にインストールする選択インストール手段と、
前記選択インストール手段によってインストールされた紙幣のサイズデータを記憶する記憶手段と、
前記送信手段により送信された画像サイズを受信する受信手段と、
前記受信手段により前記画像サイズを受信したときに、当該原稿の画像サイズが前記記憶手段に記憶されたいずれかの紙幣のサイズデータと一致するか否かを判定する判定手段と、
前記判定手段によって原稿の画像サイズが前記記憶手段に記憶されたいずれかの紙幣のサイズデータと一致すると判定された場合に、当該パソコンの表示パネルに警告メッセージと、読取りを続行するか否かを問合せる問合せメッセージと、読取りを続行する場合はその旨が当該パソコン内に記録されることを告知する告知メッセージとを表示する警告手段と、
前記警告手段による問合せメッセージの表示後に、前記スキャナによる前記原稿の読取りを続行する指示がユーザによって入力された場合に、前記スキャナによる前記原稿の読取りを続行すると共に、前記警告手段による警告の後に前記原稿の読取りが続行されたことを示すデータを記録するように制御する記録制御手段と、を備え、
ユーザが紙幣と同じサイズの原稿を読取ろうとするときに前記警告手段が警告することによって紙幣の偽造を抑止することを特徴とする画像読取システム。
【請求項２】
画像の読取機能を有する機器（以下、スキャナという）と、
前記スキャナに接続され、外部記録媒体からインストールしたソフトウェアを含む種々の制御用データ（以下、制御データという）に基づいて前記スキャナを制御するパーソナルコンピュータ（以下、パソコンという）と、から構成される画像読取システムにおいて、
前記制御データには、多数の国及び地域ごとの紙幣のサイズデータ（以下、元サイズデータという）が含まれ、
前記スキャナは、
原稿台にセットされた原稿の画像サイズを読取るサイズ読取手段と、
前記サイズ読取手段により読取られた画像サイズを前記パソコンに送信する送信手段と、を備え、
前記パソコンは、
前記外部記録媒体から前記制御データをインストールするときに、前記元サイズデータの中から、当該パソコンが使用される国及び地域において使用される可能性の高い紙幣のサイズデータを選択的にインストールする選択インストール手段と、
前記選択インストール手段によってインストールされた紙幣のサイズデータを記憶する記憶手段と、
前記送信手段により送信された画像サイズを受信する受信手段と、
前記受信手段により前記画像サイズを受信したときに、当該原稿の画像サイズが前記記憶手段に記憶されたいずれかの紙幣のサイズデータと一致するか否かを判定する判定手段と、
前記判定手段によって原稿の画像サイズが前記記憶手段に記憶されたいずれかの紙幣のサイズデータと一致すると判定された場合に、警告メッセージを発する警告手段と、
前記警告手段によって警告メッセージを発した後に、前記スキャナによる前記原稿の読取りを続行する指示がユーザによって入力された場合に、前記スキャナによる前記原稿の読取りを続行すると共に、前記警告手段による警告の後に前記原稿の読取りが続行されたこと示すデータを記録するように制御する記録制御手段と、を備えたことを特徴とする画像読取システム。
【請求項３】
前記選択インストール手段は、前記パソコンに設定されているタイムゾーン及び言語に基づいて当該パソコンが使用される国及び地域を推定し、推定した国及び地域において使用される紙幣のサイズデータを、前記元サイズデータの中から選択的にインストールすることを特徴とする請求項２に記載の画像読取システム。
【発明の詳細な説明】
【技術分野】
【０００１】
本発明は、画像読取システムに関し、詳しくは画像の読取機能を有する機器と、該機器に接続されて、該機器を制御するパーソナルコンピュータ（以下、パソコンという）とから構成される画像読取システムに関する。
【背景技術】
【０００２】
スキャナ、スキャナ付プリンタ、コピー機等の画像の読取機能を有する機器は、近年性能が飛躍的に向上していることから紙幣の偽造に悪用されるケースが生じている。
【０００３】
そこで、上記のような機器をユーザが偽造紙幣を作成する目的で使用した場合には読取りが不能になるとか、スキャナ付プリンタのように印刷機能も有している機器の場合は、読取りまではできるが印刷が不完全にしか行えなくなる等の種々の偽造紙幣作成防止機能が開発されている。
【０００４】
例えば、原稿台にセットされた原稿の縦横サイズを検出し、検出したサイズが紙幣のサイズと同一である場合には印刷を不能とする画像形成装置が知られている（例えば、特許文献１参照）。
【０００５】
また、画像読取手段によって読取られた画像データが紙幣の画像と判定できる場合にはコピーを禁止すると共に使用者のＩＤを記憶手段に記憶させる画像形成装置が知られている（例えば、特許文献２参照）。
【０００６】
さらに、読取った画像イメージが紙幣や証券等の特定のイメージである場合には、インターネットを通じて使用者に警告を発する偽造防止システム（例えば、特許文献３参照）や、画像の色合いや絵柄等に基づいて原稿が紙幣であるか否かを判定する装置において、原稿が紙幣であると判定された場合には、以後の判定基準を変更して原稿が紙幣であるとの判定が行われ易くする紙幣偽造防止装置（例えば、特許文献４参照）が知られている。
【特許文献１】特開２００４−２１９８９３号公報
【特許文献２】特開平７−１３５５６４号公報
【特許文献３】特開２００２−５３２８１２号公報
【特許文献４】特開平６−３５０８４６号公報
【発明の開示】
【発明が解決しようとする課題】
【０００７】
ところが、上記特許文献１に記載の画像形成装置のように、偽造紙幣の作成を防止するために原稿の縦横サイズが紙幣のサイズと同一であることが検知された場合には必ず印刷を不能とする装置においては、次のような支障がある。すなわち、原稿のサイズがたまたま紙幣のサイズと同一である場合、あるいは財布に入れる紙幣の大きさ見本として紙幣と同一サイズの原稿を読取りしようとする場合があるが、このような場合にまで、読取り及び印刷不能となるのでは、ユーザにとって使い勝手が悪く不便である。
【０００８】
また、スキャナやコピー機等の画像の読取機能を有する機器は、通常、製造された時点ではそれらの機器が世界中のいずれの国又は地域で販売され使用されるかが特定されないことから、それらの機器が販売先の国において紙幣の偽造に使用されることを確実に阻止するためには、それらの機器内のメモリにあらゆる国の紙幣のサイズデータを記憶させておく必要がある。上記のような大量のサイズデータを記憶させるためには、大きなメモリ容量が必要になるという問題がある。
【０００９】
そこで、本発明は、画像の読取機能を有する機器と、該機器に接続されて、該機器を制御するパソコンとから構成される画像読取システムにおいて、ユーザが紙幣を偽造するために当該機器を使用することを抑制できる上に、ユーザが了解することによって紙幣と同一サイズの原稿であっても読取ることが可能であり、かつ、当該機器を世界対応させるために大量の紙幣サイズのデータを記憶させる大きなメモリ容量が必要ではない画像読取システムを提供することを目的とする。
【課題を解決するための手段】
【００１０】
上記目的を達成するために、請求項１の発明は、画像の読取機能を有する機器（以下、スキャナという）と、前記スキャナに接続され、外部記録媒体からインストールしたソフトウェアを含む種々の制御用データ（以下、制御データという）に基づいて前記スキャナを制御するパーソナルコンピュータ（以下、パソコンという）と、から構成される画像読取システムにおいて、前記制御データには、多数の国及び地域ごとの紙幣のサイズデータ（以下、元サイズデータという）が含まれ、前記スキャナは、原稿台にセットされた原稿の画像サイズを読取るサイズ読取手段と、前記サイズ読取手段により読取られた画像サイズを前記パソコンに送信する送信手段と、を備え、前記パソコンは、前記外部記録媒体から前記制御データをインストールするときに、当該パソコンに設定されているタイムゾーン及び言語に基づいて当該パソコンが使用される国及び地域を推定し、推定した国及び地域において使用される紙幣のサイズデータを、前記元サイズデータの中から選択的にインストールする選択インストール手段と、前記選択インストール手段によってインストールされた紙幣のサイズデータを記憶する記憶手段と、前記送信手段により送信された画像サイズを受信する受信手段と、前記受信手段により前記画像サイズを受信したときに、当該原稿の画像サイズが前記記憶手段に記憶されたいずれかの紙幣のサイズデータと一致するか否かを判定する判定手段と、前記判定手段によって原稿の画像サイズが前記記憶手段に記憶されたいずれかの紙幣のサイズデータと一致すると判定された場合に、当該パソコンの表示パネルに警告メッセージと、読取りを続行するか否かを問合せる問合せメッセージと、読取りを続行する場合はその旨が当該パソコン内に記録されることを告知する告知メッセージとを表示する警告手段と、前記警告手段による問合せメッセージの表示後に、前記スキャナによる前記原稿の読取りを続行する指示がユーザによって入力された場合に、前記スキャナによる前記原稿の読取りを続行すると共に、前記警告手段による警告の後に前記原稿の読取りが続行されたことを示すデータを記録するように制御する記録制御手段と、を備え、ユーザが紙幣と同じサイズの原稿を読取ろうとするときに前記警告手段が警告することによって紙幣の偽造を抑止することを特徴とする。
【００１１】
請求項２の発明は、画像の読取機能を有する機器（以下、スキャナという）と、前記スキャナに接続され、外部記録媒体からインストールしたソフトウェアを含む種々の制御用データ（以下、制御データという）に基づいて前記スキャナを制御するパーソナルコンピュータ（以下、パソコンという）と、から構成される画像読取システムにおいて、前記制御データには、多数の国及び地域ごとの紙幣のサイズデータ（以下、元サイズデータという）が含まれ、前記スキャナは、原稿台にセットされた原稿の画像サイズを読取るサイズ読取手段と、前記サイズ読取手段により読取られた画像サイズを前記パソコンに送信する送信手段と、を備え、前記パソコンは、前記外部記録媒体から前記制御データをインストールするときに、前記元サイズデータの中から、当該パソコンが使用される国及び地域において使用される可能性の高い紙幣のサイズデータを選択的にインストールする選択インストール手段と、前記選択インストール手段によってインストールされた紙幣のサイズデータを記憶する記憶手段と、前記送信手段により送信された画像サイズを受信する受信手段と、前記受信手段により前記画像サイズを受信したときに、当該原稿の画像サイズが前記記憶手段に記憶されたいずれかの紙幣のサイズデータと一致するか否かを判定する判定手段と、前記判定手段によって原稿の画像サイズが前記記憶手段に記憶されたいずれかの紙幣のサイズデータと一致すると判定された場合に、警告メッセージを発する警告手段と、前記警告手段によって警告メッセージを発した後に、前記スキャナによる前記原稿の読取りを続行する指示がユーザによって入力された場合に、前記スキャナによる前記原稿の読取りを続行すると共に、前記警告手段による警告の後に前記原稿の読取りが続行されたこと示すデータを記録するように制御する記録制御手段と、を備えたことを特徴とする。
【００１２】
請求項３の発明は、請求項２に記載の画像読取システムにおいて、前記選択インストール手段は、前記パソコンに設定されているタイムゾーン及び言語に基づいて当該パソコンが使用される国及び地域を推定し、推定した国及び地域において使用される紙幣のサイズデータを、前記元サイズデータの中から選択的にインストールすることを特徴とする。
【発明の効果】
【００１３】
本発明によれば、パソコンは、スキャナの原稿台にセットされた原稿が紙幣と同一サイズのときに、読取りを続行するか否かをユーザに問合わせると共に、読取りの続行を選択する場合にはその旨がパソコン内に記録されることをユーザに告知し、その上でユーザが読取りの続行を指示する場合に読取りを続行するので、ユーザに心理的な負荷が与えられて紙幣偽造のための読取りが抑制されると共に、ユーザが了解することによって紙幣と同一サイズの原稿の読取りが可能である。また、パソコンは、外部記録媒体から元サイズデータをインストールするときに、元サイズデータの中から当該パソコンが使用される国及び地域において使用される可能性の高い紙幣のサイズデータを選択的にインストールするので、紙幣サイズのデータを記憶させるために大きなメモリ容量が必要ではない。
【発明を実施するための最良の形態】
【００１４】
以下、本発明の一実施形態に係る画像読取システムについて、図１乃至図３を参照して説明する。本実施形態の画像読取システム１は、図１に示されるように、画像の読取機能を有するスキャナ付プリンタ２と、該スキャナ付プリンタ２に接続され、該スキャナ付プリンタ２を制御するパソコン３と、から構成される。
【００１５】
パソコン３がスキャナ付プリンタ２を制御するためのソフトウェアを含む制御用データ（以下、制御データという）は、ＣＤ−ＲＯＭ４（外部記録媒体）に記録されており、パソコン３に装填されるＣＤ−ＲＯＭ４からパソコン３へインストールされる。
【００１６】
ＣＤ−ＲＯＭ４には、スキャナ付プリンタ２の読取機能や印刷機能を制御するための通常の制御データの他に多数の国及び地域ごとの紙幣のサイズデータ（以下、元サイズデータという）が記録されている。
【００１７】
例えば、日本国であれば、現行の１万円札、５千円札等の紙幣の縦横サイズの他、過去に流通していて現在でも使用可能な旧紙幣の縦横サイズが記録されており、その他の国及び地域についても同様に現行の紙幣及び現在使用可能な旧紙幣の縦横サイズが記録されている。
【００１８】
スキャナ付プリンタ２について説明する。本実施形態のスキャナ付プリンタ２は、原稿台５にセットされた原稿Ｄの画像を読取るスキャナ部６と、スキャナ部６で読取った画像を用紙上に印刷するプリンタ部７とから構成され、スキャナ部６とプリンタ部７を統括して制御するマイクロプロセッサ８（サイズ読取手段、送信手段）を備える。
【００１９】
マイクロプロセッサ８は、ユーザによって原稿台５に原稿Ｄがセットされた後、パソコン３からの原稿読取り指示が入力されるとＣＣＤ（Ｃｈａｒｇｅ  Ｃｏｕｐｌｅｄ  Ｄｅｖｉｃｅ）又はＣＩＳ（Ｃｏｎｔａｃｔ  Ｉｍａｇｅ  Ｓｅｎｓｏｒ）等から構成される読取りユニット９を動作させて原稿台５の下方側から原稿Ｄの画像を読取る。このとき、マイクロプロセッサ８は、読取りユニット９を２回に亘って読取り動作させ、１回目の読取り動作（プレスキャン）において得られた画像データから原稿Ｄの画像の縦横サイズを算出し、２回目の読取り動作において実際の画像の読取りを行う。
【００２０】
具体的には、マイクロプロセッサ８は、１回目の読取り動作（プレスキャン）によって得られる画像の縁部に含まれるピクセル数の情報と予め設定されている解像度の情報から画像の縦横サイズを算出する。例えば、画像の縦縁部が４００ピクセルであるときに、解像度が７２ｄｐｉである場合には、４００ピクセル÷７２ｄｐｉ＝５．５５インチが画像の縦サイズ情報として得られる。
【００２１】
また、マイクロプロセッサ８は、上記のようにして算出した原稿Ｄの画像のサイズ情報を、スキャナ付プリンタ２のインタフェース１１、パソコン３のインタフェース１２等を介して後述するタイミングでパソコン３に送信する。
【００２２】
次に、パソコン３について説明する。本実施形態のパソコン３は、ディスクドライブ（不図示）を備え、該ディスクドライブに装填されたＣＤ−ＲＯＭ４の読取りが可能なパソコン本体１３と表示パネル１４とから構成され、パソコン本体１３は、マイクロプロセッサ１５（選択インストール手段、受信手段、判定手段、警告手段、記録制御手段）とハードディスク１６（記憶手段）を備える。
【００２３】
マイクロプロセッサ１５は、装填されたＣＤ−ＲＯＭ４から制御データをインストールするときにＣＤ−ＲＯＭ４に記録された元サイズデータの中から、パソコン３に設定されているタイムゾーン及び言語に基づいてパソコン３が使用される国及び地域を推定し、推定した国及び地域において使用される紙幣のサイズデータと、世界の主要な国及び地域の紙幣のサイズデータと、を選択的にインストールする。
【００２４】
具体的には、パソコン３は、ハードディスク１６内にタイムゾーンと言語に対応する国及び地域が記憶された参照テーブルを有しており、パソコン３の使用に先立ってタイムゾーンと言語が当該パソコンの販売会社又はユーザにより設定されることによって、当該パソコン３が使用される場所（国及び地域）が推定される。
【００２５】
例えば、タイムゾーンとして東アジア地域が設定され、言語として日本語が設定された場合には、パソコン３が使用される国は日本と推定され、日本の紙幣に関するサイズデータが選択的にインストールされる。また、同時にパソコン３の使用国と推定された日本以外の主要な国及び地域の紙幣（例えば、米国のドル紙幣、ユーロ紙幣等）のサイズデータが選択的にインストールされる。パソコン３の使用国と推定された国以外の主要な国及び地域については、本実施形態では予め決められているが、パソコンの販売会社等によって事後的に変更可能なように構成されてもよい。
【００２６】
上記のようにしてマイクロプロセッサ１５によって選択的にインストールされた紙幣のサイズデータは、ハードディスク１６に記憶される。なお、ＣＤ−ＲＯＭ４に記録された元サイズデータのうちの一部が選択的にインストールされるので、インストールに要する時間が短くて済み、インストールされたデータのハードディスク１６に占める容量が小さくて済む。
【００２７】
パソコン３は、以上のようにして、パソコン３が使用される国及び地域において用いられている紙幣のサイズデータと、主要な国及び地域の紙幣のサイズデータを記憶した状態とされる。
【００２８】
次に、ユーザが実際に原稿Ｄをスキャナ付プリンタ２の原稿台５にセットし読取りをするときの手順について、図２を参照して説明する。マイクロプロセッサ１５は、ユーザがパソコン３のキーボードを操作して原稿読取り開始を指示したと判断すると（Ｓ１でＹＥＳ）、スキャナ付プリンタ２から原稿Ｄの画像サイズの情報を受信する（Ｓ２）。
【００２９】
スキャナ付プリンタ２は、前述のとおり、原稿読取り動作を開始すると、まず１回目の読取り動作（プレスキャン）を行い、原稿Ｄの画像の縦横サイズを算出し、そのサイズ情報をパソコン３へ送信するので、マイクロプロセッサ１５は、原稿台５にセットされた原稿Ｄの画像サイズの情報を受信することができる。なお、スキャナ付プリンタ２は、１回目の読取り動作（プレスキャン）を行って原稿Ｄの画像の縦横サイズを算出した後、パソコン３（マイクロプロセッサ１５）から読取り動作の続行を指示する信号の送信があるまで、２回目の読取り動作を開始しない。
【００３０】
次に、マイクロプロセッサ１５は、受信した原稿Ｄの画像サイズが、ハードディスク１６に記憶されたいずれかの紙幣のサイズデータと一致するか否かを判断する（Ｓ３）。受信した原稿Ｄの画像サイズが、ハードディスク１６に記憶されたいずれの紙幣のサイズデータとも一致しない場合（Ｓ３でＮＯ）には、マイクロプロセッサ１５は、スキャナ付プリンタ２へ読取り動作の続行を指示し、スキャナ付プリンタ２は、２回目の読取り動作を実行し、原稿の画像を読取る（Ｓ４）。
【００３１】
受信した原稿Ｄの画像サイズが、ハードディスク１６に記憶されたいずれかの紙幣のサイズデータと一致する場合（Ｓ３でＹＥＳ）には、マイクロプロセッサ１５は、表示パネル１４に、原稿台５にセットされた原稿Ｄのサイズが紙幣のサイズに一致する旨を警告する警告メッセージＭ１と、当該原稿Ｄの読取りを続行するか否かを問合わせる問合わせメッセージＭ２と、読取りを続行する場合はその旨がパソコン３内に記憶されることを告知する告知メッセージＭ３を表示する。
【００３２】
警告メッセージＭ１、問合わせメッセージＭ２、及び告知メッセージＭ３は、例えば、図３に示されるように、一連の文章として表示される。すなわち、警告メッセージＭ１として「今スキャンしようとしている画像サイズは、紙幣サイズと同じです。」が表示され、問合わせメッセージＭ２として「このままスキャンを行う場合は「了解ボタン」を、キャンセルする場合は「キャンセルボタン」を押して下さい。」が表示され、告知メッセージＭ３として「なお、「了解ボタン」を押した場合には、その行為をパソコンに記録します。」が表示される。
【００３３】
警告メッセージＭ１、問合わせメッセージＭ２、及び告知メッセージＭ３としての具体的な文章は、種々変更が可能である。要するに、ユーザに対して、まず原稿Ｄのサイズが紙幣のサイズに一致することを警告し、読取りの続行を希望するか否かを問合わせ、読取りを続行する場合はその旨がパソコン３内に記憶されることを告知して、ユーザが紙幣の偽造のために真正の紙幣を読取ろうとしている場合には、心理的な負荷を与えて読取りの続行を抑止するものであればよい。なお、表示パネル１４へのメッセージＭ１、Ｍ２、Ｍ３の表示に加えて、パソコン３に付設のスピーカ（不図示）を通じてメッセージの文章を発音させてもよいし、表示パネル１４への表示を行うことなく、スピーカからの音声による警告、問合わせ、及び告知を行うものであってもよい。
【００３４】
また、本実施形態では、表示パネル１４がタッチパネルに構成され、図３に示されるように、メッセージＭ１、Ｍ２、Ｍ３が表示された位置の下方に、了解ボタン２１とキャンセルボタン２２が表示される。ユーザは、メッセージＭ１、Ｍ２、Ｍ３を見た上で読取りの続行を希望する場合は了解ボタン２１を押し、読取りを中止する場合はキャンセルボタン２２を押す。
【００３５】
マイクロプロセッサ１５は、了解ボタン２１が押されたか否かを判断し（Ｓ６）、了解ボタン２１が押されたと判断する場合（Ｓ６でＹＥＳ）は、スキャナ付プリンタ２へ読取り動作の続行を指示する信号を送信してスキャナ付プリンタ２に２回目の読取りを実行させると共に、パソコン本体１３内のユーザがアクセス困難な場所（例えば、レジストリ）に、警告メッセージの表示後に読取りが続行された旨を示すデータを記録する（Ｓ８）。
【００３６】
警告メッセージの表示後に読取りが続行された旨を示すデータとしては、当該操作が行われた年月日のデータや、年月日に加えて紙幣のサイズのデータを含むもの等種々なものが可能であるが、レジストリの特定の場所に数ビット単位で記録される単純なものでもよい。また、警告メッセージの表示後に読取りが続行された旨を示すデータは、ユーザがアクセス困難な特別なフォルダ形式で記録されてもよい。
【００３７】
了解ボタン２１が押されていないと判断される場合（Ｓ６でＮＯ）には、マイクロプロセッサ１５は、キャンセルボタン２２が押されたか否かを判断し（Ｓ７）、キャンセルボタン２２が押されたと判断する場合（Ｓ７でＹＥＳ）は、スキャナ付プリンタ２へ読取り動作の続行指示信号を送信せず読取りを中止する（Ｓ９）。
【００３８】
なお、Ｓ４及びＳ８において読取りが続行されて原稿Ｄの画像が読取られた後に、自動的に続けられて、又はユーザによる印刷の指示が入力されることによって、スキャナ付プリンタ２のプリンタ部７による当該画像の印刷が行われる。
【００３９】
以上のように、本実施形態に係る画像読取システム１においては、スキャナ付プリンタ２の原稿台５にセットされた原稿Ｄが紙幣と同一サイズのときには、読取り動作が一時停止されて表示パネル１４にメッセージＭ１、Ｍ２、Ｍ３が表示され、ユーザに対して読取りを続行するか否かが問われると共に、読取りの続行を選択する場合にはその旨がパソコン３内に記録されることがユーザに告知され、その上でユーザが読取りの続行を指示する場合にのみ読取りを続行するので、ユーザに心理的な負荷が与えられて紙幣偽造のための読取りが抑制される。
【００４０】
また、表示パネル１４にメッセージＭ１、Ｍ２、Ｍ３が表示された後であっても、ユーザが了解ボタン２１を押すことによって紙幣と同一サイズの原稿Ｄの読取りが可能である。さらに、パソコン３は、ＣＤ−ＲＯＭ４から元サイズデータをインストールするときに、元サイズデータの中から当該パソコン３が使用される国及び地域において用いられる可能性の高い紙幣のサイズデータを選択的にインストールするので、紙幣サイズのデータを記憶させるために大きなメモリ容量が必要ではなく、インストールに要する時間も短くて済む。
【図面の簡単な説明】
【００４１】
【図１】本発明の一実施形態に係る画像読取システムの概略構成を示す図。
【図２】同画像読取システムにおける原稿の読取手順を示すフローチャート。
【図３】同画像読取システムにおけるパソコンの表示パネルに表示されるメッセージの例を示す図。
【符号の説明】
【００４２】
１  画像読取システム
２  スキャナ付プリンタ
３  パソコン
４  ＣＤ−ＲＯＭ（外部記録媒体）
５  原稿台
６  スキャナ部
８  マイクロプロセッサ（サイズ読取手段、送信手段）
１４  表示パネル
１５  マイクロプロセッサ（選択インストール手段、受信手段、判定手段、警告手段、記録制御手段）
１６  ハードディスク（記憶手段）
Ｄ  原稿
Ｍ１  警告メッセージ
Ｍ２  問合わせメッセージ
Ｍ３  告知メッセージ
【図１】
2008079153.tif 000003
【図２】
2008079153.tif 000004
【図３】
2008079153.tif 000005